(57)【要約】【課題】  打球部又は打球部からテーパー部の全周にわたって形成された凹部に弾性体スリーブを嵌装し被覆一体化する野球用又はソフトボール用バットにおいて、打球時の衝撃力と遠心力で、弾性体スリーブが回転したり、バットの長さ方向にずれたりせず、弾性体スリーブが破損する等で取り替える場合は、容易に取り替えることができるようにする。【解決手段】  打球部１１又は打球部１１からテーパー部１２の全周にわたって形成された凹部４の底部５に、円周方向の凸条２０、長さ方向の凸条２０、円周方向の凹溝２１、長さ方向の凹溝２１、あるいは突起２２または凹み２３を複数離隔形成する。【選択図】        図１
2006198000.tif 000002
【特許請求の範囲】
【請求項１】
先端部、打球部、テーパー部、グリップ部からなり、打球部又は打球部からテーパー部の全周にわたって形成された凹部に弾性体スリーブを被覆一体化した野球用又はソフトボール用バットにおいて、該凹部の底部に円周方向の凸条を長さ方向に複数離隔形成したことを特徴とする野球用又はソフトボール用バット。
【請求項２】
先端部、打球部、テーパー部、グリップ部からなり、打球部又は打球部からテーパー部の全周にわたって形成された凹部に弾性体スリーブを被覆一体化した野球用又はソフトボール用バットにおいて、該凹部の底部に長さ方向の凸条を円周方向に複数離隔形成したことを特徴とする野球用又はソフトボール用バット。
【請求項３】
先端部、打球部、テーパー部、グリップ部からなり、打球部又は打球部からテーパー部の全周にわたって形成された凹部に弾性体スリーブを被覆一体化した野球用又はソフトボール用バットにおいて、該凹部の底部に円周方向の凹溝を長さ方向に複数離隔形成したことを特徴とする野球用又はソフトボール用バット。
【請求項４】
先端部、打球部、テーパー部、グリップ部からなり、打球部又は打球部からテーパー部の全周にわたって形成された凹部に弾性体スリーブを被覆一体化した野球用又はソフトボール用バットにおいて、該凹部の底部に長さ方向の凹溝を円周方向に複数離隔形成したことを特徴とする野球用又はソフトボール用バット。
【請求項５】
先端部、打球部、テーパー部、グリップ部からなり、打球部又は打球部からテーパー部の全周にわたって形成された凹部に弾性体スリーブを被覆一体化した野球用又はソフトボール用バットにおいて、該凹部の底部に複数の突起を複数離隔形成したことを特徴とする野球用又はソフトボール用バット。
【請求項６】
先端部、打球部、テーパー部、グリップ部からなり、打球部又は打球部からテーパー部の全周にわたって形成された凹部に弾性体スリーブを被覆一体化した野球用又はソフトボール用バットにおいて、該凹部の底部に複数の凹みを複数離隔形成したことを特徴とする野球用又はソフトボール用バット。
【請求項７】
打球部又は打球部からテーパー部の全周にわたって形成された凹部の底部の凸条ないし突起、あるいは凹溝ないし凹みに嵌め合うように、弾性体スリーブの内面に、凹溝ないし凹み、あるいは凸条ないし突起を形成したことを特徴とする請求項１〜６のいずれか１項に記載の野球用又はソフトボール用バット。
【発明の詳細な説明】
【技術分野】
【０００１】
本発明は、打球部又は打球部からテーパー部の全周にわたって形成された凹部に弾性体スリーブを被覆一体化した野球用又はソフトボール用バットに関するものである。
【背景技術】
【０００２】
発明者らは、打球部の凹部に弾性体を被覆一体化することで、従来のバットよりも反発特性に優れた良く飛ぶバットを発明した（特許文献１参照）。
【０００３】
【特許文献２】特開２００３−１９２３６号公報
【発明の開示】
【発明が解決しようとする課題】
【０００４】
上記特開２００３−１９２３６号公報に開示されたバットにおいては、弾性体は打球部の凹部に合成樹脂を射出成形ないし注型成形により被覆一体化するか、弾性体スリーブを別体に形成し、接着剤や両面テープで接着するようにしている。
【０００５】
ところが、弾性体を射出成形や注型成形により被覆一体化したり、別体に形成した弾性体スリーブを強固に接着すると、弾性体が破損する等で取り替える場合、弾性体を取り除く作業は大変手間の掛かるものであった。
【０００６】
そこで、打球部又は打球部からテーパー部の全周にわたって形成された凹部に、内面が円筒形の弾性体スリーブを嵌装しても、打球時の衝撃力と遠心力で、弾性体スリーブが回転したり、バットの長さ方向にずれたりせず、弾性体スリーブを取り替える場合は、容易に取り替えることができるようにすることを課題とする。
【課題を解決するための手段】
【０００７】
前記課題を解決するため、請求項１に記載の発明は、先端部、打球部、テーパー部、グリップ部からなり、打球部又は打球部からテーパー部の全周にわたって形成された凹部に弾性体スリーブを被覆一体化した野球用又はソフトボール用バットにおいて、該凹部の底部に円周方向の凸条を複数離隔形成したことを特徴とする野球用又はソフトボール用バットである。
【０００８】
請求項２に記載の発明は、先端部、打球部、テーパー部、グリップ部からなり、打球部又は打球部からテーパー部の全周にわたって形成された凹部に弾性体スリーブを被覆一体化した野球用又はソフトボール用バットにおいて、該凹部の底部に長さ方向の凸条を複数離隔形成したことを特徴とする野球用又はソフトボール用バットである。
【０００９】
請求項３に記載の発明は、先端部、打球部、テーパー部、グリップ部からなり、打球部又は打球部からテーパー部の全周にわたって形成された凹部に弾性体スリーブを被覆一体化した野球用又はソフトボール用バットにおいて、該凹部の底部に円周方向の凹溝を複数離隔形成したことを特徴とする野球用又はソフトボール用バットである。
【００１０】
請求項４に記載の発明は、先端部、打球部、テーパー部、グリップ部からなり、打球部又は打球部からテーパー部の全周にわたって形成された凹部に弾性体スリーブを被覆一体化した野球用又はソフトボール用バットにおいて、該凹部の底部に長さ方向の凹溝を複数離隔形成したことを特徴とする野球用又はソフトボール用バットである。
【００１１】
請求項５に記載の発明は、先端部、打球部、テーパー部、グリップ部からなり、打球部又は打球部からテーパー部の全周にわたって形成された凹部に弾性体スリーブを被覆一体化した野球用又はソフトボール用バットにおいて、該凹部の底部に複数の突起を複数離隔形成したことを特徴とする野球用又はソフトボール用バットである。
【００１２】
請求項６に記載の発明は、先端部、打球部、テーパー部、グリップ部からなり、打球部又は打球部からテーパー部の全周にわたって形成された凹部に弾性体スリーブを被覆一体化した野球用又はソフトボール用バットにおいて、該凹部の底部に複数の凹みを複数離隔形成したことを特徴とする野球用又はソフトボール用バットである。
【００１３】
請求項７に記載の発明は、打球部又は打球部からテーパー部の全周にわたって形成された該凹部の底部の凸条ないし突起、あるいは凹溝ないし凹みに嵌め合うように、弾性体スリーブの内面に、凹溝ないし凹み、あるいは凸条ないし突起を形成したことを特徴とする請求項１〜６のいずれか１項に記載の野球用又はソフトボール用バットである。
【発明の効果】
【００１４】
打球部又は打球部からテーパー部の全周にわたって形成された凹部の底部に、複数の凸条ないし突起、あるいは複数の凹溝ないし凹みを形成することで、弾性体スリーブとバット本体との接触面積が大きくなり、弾性体スリーブの内面に接着力の小さい接着剤や両面テープを塗布または貼着し嵌装することで、打球時の衝撃力と遠心力で弾性体スリーブが回転したり、バットの長さ方向にずれたりしないようにすることができる。
【００１５】
打球部又は打球部からテーパー部の全周にわたって形成された凹部の底部の凸条ないし突起、あるいは凹溝ないし凹みに嵌め合うように、弾性体スリーブの内面に凹溝ないし凹み、あるいは凸条ないし突起を形成すれば、更に、打球時の衝撃力と遠心力で弾性体スリーブが回転したり、バットの長さ方向にずれたりしないようにすることができる。
【００１６】
また、上記弾性体スリーブを取り替える場合には、弾性体スリーブをカットするだけで迅速に取り除くことができる。
【発明を実施するための最良の形態】
【００１７】
以下、本発明の実施形態について図面を参照して説明する。
【００１８】
図１は、先端部、打球部、テーパー部、グリップ部からなるバット本体の打球部に形成された凹部に、弾性体スリーブを被覆一体化したものの側面部分断面模式図である。図２は、図１のバット本体の側面図である。
【００１９】
図１に示す野球用又はソフトボール用バット１は、打球部１１の全周にわたって形成された凹部４の底部５に、円周方向の凸条２０を複数離隔形成した繊維強化プラスチック製の中空のバット本体２に、内面が円筒形の弾性体スリーブ３の内面に接着力の小さい接着剤を塗布した後、嵌装一体化したものである。なお、バット本体２は繊維強化プラスチック製に限らず、木製、金属製でも形成することができる。
【００２０】
弾性体スリーブ３は、前記凹部４の形状に合うようにアイオノマー、ブタジエン系ラバー、発泡ポリウレタン等を用いて別体に形成したもので、ＪＩＳ  Ｃ硬度（ＪＩＳ  Ｋ  ７３１２の付属書２にいうスプリング硬さ試験タイプＣ試験方法に準じて測定した硬度）で５〜８０のものが望ましい。
【００２１】
バット本体２の凹部４の底部５に形成する凸条２０は、図１および図２に示すように、凸条２０断面が四角形に限らず図３に示すように、三角形でも良い。また、図１〜３に示すように円周方向の凸条２０を複数離隔形成した場合は、バットの長さ方向への抜け抵抗が増加し、図４に示すように、凸条２０を長さ方向に複数離隔形成した場合は、弾性体スリーブ３の円周方向の回転抵抗が増加する。
【００２２】
バット本体２の凹部４の底部５に凹溝２１を形成する場合でも、図５に示すように円周方向に断面が四角形の凹溝２１を複数離隔形成しても、図６に示すように断面が三角形の凹溝２１を複数離隔形成しても良い。また、図７に示すように凹溝２１をバットの長さ方向に複数離隔形成することもできる。
【００２３】
バット本体２の凹部４の底部５に突起２２を複数離隔形成する場合、図８に示すように四角柱状の突起２２に限らず、四角錐台状、円錐台状、円柱状や半球状のものでも良い。一方、バット本体２の凹部４の底部５に凹み２３を複数離隔形成する場合、図９に示すように水平断面が四角形の凹み２３でも、半球状の凹み２３でも良い。
【００２４】
前記バット本体２の凹部４の底部５に形成する凸条２０ないし突起２２の高さは、低すぎると弾性体スリーブ３の抜け抵抗あるいは回転抵抗が小さくなる。また、バット本体２の凹部４の凹溝２１ないし凹み２３の深さは、浅すぎると弾性体スリーブ３の抜け抵抗あるいは回転抵抗が小さくなる。従って、内面が円筒形の弾性体スリーブ３の内面に接着力の小さい接着剤や両面テープを塗布または貼着し嵌装するだけでも、打球時に弾性体スリーブ３が回転やずれを起こさない凸条２０ないし突起２２の高さあるいは凹溝２１ないし凹み２３の深さおよび間隔を設定する。
【００２５】
バット本体２の凹部４の底部５に、凸条２０ないし突起２２、あるいは凹溝２１ないし凹み２３を形成し、別体に形成された内面が円筒形の弾性体スリーブ３を嵌装するだけでも、弾性体スリーブ３の回転やバットの長さ方向のずれを防止する効果はあるが、上記のように、弾性体スリーブ３の内面に接着力の小さい接着剤や両面テープを塗布または貼着し嵌装することで、更に回転やずれを防止することができる。
【００２６】
図１０に示すように、バット本体２の凹部４の底部５に形成する凸条２０ないし突起２２、あるいは凹溝２１ないし凹み２３に嵌め合うように、弾性体スリーブ３の内面に凹溝２１ないし凹み２３、あるいは凸条２０ないし突起２２を形成する場合は、バット本体２の凹部４の底部５のみに凸条２０ないし突起２２、あるいは凹溝２１ないし凹み２３を形成する場合よりも、凸条２０ないし突起２２を高く、あるいは凹溝２１ないし凹み２３を深くすることができる。ただし、弾性体スリーブ３を嵌装しやすくするために、凸条２０ないし突起２２あるいは凹溝２１ないし凹み２３の角部は丸みをもたせる。
【００２７】
なお、バット本体２の凹部４の底部５に形成する凸条２０ないし突起２２の高さは、高すぎると凸条２０ないし突起２２の頂部の弾性体スリーブ３の厚みが薄くなり耐久性が悪くなる。従って、凸条２０ないし突起２２の頂部の弾性体スリーブ３の厚みを５ｍｍ以上とすることが望ましい。また、バット本体２の凹部４の底部５に形成する凹溝２１ないし凹み２３の深さは、深すぎるとバット本体２の強度が低下する。従って、深さは１０ｍｍ以下とすることが望ましい。
【００２８】
図１〜図１０に示す実施形態は、打球部１１の全周にわたって形成された凹部４の底部５に、凸条２０ないし突起２２、あるいは凹溝２１ないし凹み２３を形成したものであるが、図示はしないが、打球部１１からテーパー部１２の全周にわたって形成された凹部４の底部５に、凸条２０ないし突起２２、あるいは凹溝２１ないし凹み２３を形成したものも同様である。
【００２９】
また、バット本体２の実施形態としては、図１および図２に示すように、先端部１０、打球部１１、テーパー部１２からグリップ部１３まで一体に形成したものだけでなく、先端部１０を着脱自在とした構造のものでも良い。先端部１０を着脱自在とした場合、弾性体スリーブ３の装着、取り外しをより容易に行うことができる。
【実施例】
【００３０】
図１、図２に示すバットは、打球部１１の外径が７０ｍｍ、凹部４の底部５の外径が３０ｍｍ、底部５の長さが２４０ｍｍで、凹部４の底部５に断面１５ｍｍ角の凸条２０を円周方向に、凸条２０と凸条２０の間隔を３０ｍｍとして形成したバット本体２の凹部４に、ＪＩＳ  Ｃ硬度が５０の発泡ポリウレタンで形成した内面が円筒形の弾性体スリーブ３を被覆一体化したものである。
【００３１】
なお、凸条２０は図３に示すように、断面が正三角形としても良い。また、断面を直角三角形とし、斜面側をバットの先端部１０側あるいはグリップ部１３側にすることもできる。
【００３２】
図４に示す凸条２０は、幅５ｍｍ、高さ１５ｍｍの凸条２０を凹部４の底部５の全長に渡って、バットの長さ方向に、凸条２０と凸条２０を平行に凹部４の円周周りに１２本形成したものである。なお、該凸条２０を図３に示すような三角形形状とすることもできる。
【００３３】
図５に示す実施例は、円周方向に幅５ｍｍ、深さ１０ｍｍの四角形の凹溝２１を複数離隔形成したものである。図６に示す実施例は、円周方向に一辺の長さが５ｍｍで断面が正三角形の凹溝２１を複数離隔形成したものである。図７に示す実施例は、幅５ｍｍ、深さ１０ｍｍの凹溝２１を、凹部４の底部５の全長に渡ってバットの長さ方向に複数離隔形成したものである。
【００３４】
図８に示す実施例は、凹部４の底部５に水平断面５ｍｍ角、高さ１５ｍｍの四角柱状の突起２２を円周方向に離隔形成したもので、突起２２のバットの長さ方向の間隔を３０ｍｍとして形成したものである。図９に示す実施例は、凹部４の底部５に水平断面５ｍｍ角、深さ１０ｍｍの四角柱状の凹み２３を円周方向に離隔形成したもので、凹み２３のバットの長さ方向の間隔を３０ｍｍとして形成したものである。なお、図示はしないが前記突起２２あるいは凹み２３を、凹部４の底部５に千鳥状に離隔形成することもできる。
【００３５】
図１０示す実施例は、内径３０ｍｍ、外径７０ｍｍの弾性体スリーブ３の内面に、円周方向に幅５ｍｍ深さ１０ｍｍの凹溝２１を、凹溝２１と凹溝２１の間隔を３０ｍｍとして形成したものである。なお、図示はしないがバット本体２の凹部４の底部５には、弾性体スリーブ３の内面に形成された凹溝２１と嵌め合うように凸条２０を形成する。
【産業上の利用可能性】
【００３６】
本発明の野球用又はソフトボール用バットは、打球部又は打球部からテーパー部の全周にわたって形成された凹部に弾性体スリーブを被覆一体化したものであるが、バットの全長に渡る芯部に弾性体スリーブを被覆一体化したバットにおいても、芯部の表面に同様の凸条ないし突起、あるいは凹溝ないし凹みを形成することで、弾性体スリーブの抜け防止や回転防止をすることができる。
【図面の簡単な説明】
【００３７】
【図１】本発明の一実施態様の側面部分断面模式図である。
【図２】図１のバット本体の側面図である。
【図３】断面が三角形の凸条を凹部の円周周りに形成したバット本体の凹部側面図である。
【図４】（ａ）断面が四角形の凸条を凹部の底部の全長に渡って複数形成したバット本体の凹部側面図である。              （ｂ）Ａ−Ａ断面図である。
【図５】断面が四角形の凹溝を凹部の円周周りに形成したバット本体の凹部側面図である。
【図６】断面が三角形の凹溝を凹部の円周周りに形成したバット本体の凹部側面図である。
【図７】（ａ）断面が三角形の凹溝を凹部の底部の全長に渡って複数形成したバット本体の凹部側面図である。              （ｂ）Ａ−Ａ断面図である。
【図８】凹部の底部に四角柱状突起を円周方向に離隔形成したバット本体の凹部側面図である。
【図９】凹部の底部に四角柱状凹みを円周方向に離隔形成したバット本体の凹部側面図である。
【図１０】（ａ）弾性体スリーブの内面に、円周方向に凹溝を形成した側面部分断面図である。                （ｂ）Ａ−Ａ断面図である。
【符号の説明】
【００３８】
１  野球用又はソフトボール用バット
２  バット本体
３  弾性体スリーブ
４  凹部
５  底部
１０  先端部
１１  打球部
１２  テーパー部
１３  グリップ部
２０  凸条
２１  凹溝
２２  突起
２３  凹み
【図１】
2006198000.tif 000003
【図２】
2006198000.tif 000004
【図３】
2006198000.tif 000005
【図４】
2006198000.tif 000006
【図５】
2006198000.tif 000007
【図６】
2006198000.tif 000008
【図７】
2006198000.tif 000009
【図８】
2006198000.tif 000010
【図９】
2006198000.tif 000011
【図１０】
2006198000.tif 000012